(57)【要約】【課題】乗りかご内の利用者に対して必要な情報を的確に報知することができるエレベータの情報表示システムの提供。【解決手段】本発明に係る情報表示制御装置１２は、操作盤７の行先階釦７Ａの操作信号を取得する操作信号取得部１３と、全階共通情報を記憶する全階共通情報記憶部１４Ａと、特定階情報を記憶する特定階情報記憶部１４Ｂと、操作信号取得部１３によって行先階釦７Ａの操作信号が取得されたとき、特定階情報記憶部１４Ｂに記憶された情報の中に行先階釦７Ａによって指定された乗りかご２の行先階に関する情報があるかどうかを判断する行先階情報判断部１７と、行先階情報判断部１７によって当該乗りかご２の行先階に関する情報があると判断されたとき、乗りかご２内の液晶ディスプレイ１０の表示を当該乗りかご２の行先階に関する情報に切換える表示切換部１５Ａとを含む。【選択図】図１
2016044002.tif 000002
【特許請求の範囲】
【請求項１】
建物の昇降路内を昇降する乗りかごと、この乗りかご内に設けられ、前記乗りかごの運転を操作する操作盤と、前記乗りかご内に設けられ、前記乗りかご内の利用者に対して報知するための情報を表示する情報表示部とを備え、前記操作盤は、前記乗りかごの行先階を指定する行先階釦を含むエレベータに設けられ、
前記操作盤の操作に応じて、前記情報表示部の表示を制御する情報表示制御装置を備えたエレベータの情報表示システムにおいて、
前記情報表示制御装置は、
前記行先階釦の操作信号を取得する操作信号取得部と、
前記情報を記憶する情報記憶装置と、
前記操作信号取得部によって前記行先階釦の操作信号が取得されたとき、前記情報記憶装置に記憶された前記情報の中に前記行先階釦によって指定された前記乗りかごの行先階に関する情報があるかどうかを判断する行先階情報判断部と、
前記行先階情報判断部によって前記乗りかごの行先階に関する情報があると判断されたとき、前記情報表示部の表示を当該乗りかごの行先階に関する情報に切換える表示切換部とを含むことを特徴とするエレベータの情報表示システム。
【請求項２】
請求項１に記載のエレベータの情報表示システムにおいて、
前記エレベータは、前記乗りかご内に設けられ、前記操作盤が操作された際に操作音を発する操作音発生部を備え、
前記情報表示制御装置は、前記行先階情報判断部の判断結果に応じて、前記操作音発生部が発する操作音を変更する操作音変更部を含むことを特徴とするエレベータの情報表示システム。
【発明の詳細な説明】
【技術分野】
【０００１】
本発明は、乗りかご内の利用者に対して各種の情報を提供するエレベータの情報表示システムに関する。
【背景技術】
【０００２】
一般に、エレベータは、建物の昇降路内を昇降する乗りかごと、この乗りかご内に設けられ、乗りかごの運転を操作する操作盤とを備えており、乗りかご内の利用者が操作盤を操作することにより、乗りかごを昇降させて目的の階へ移動することができる。近年では、エレベータにおいて各種のサービスが提供されており、利用者に対する利便性の向上が図られている。
【０００３】
その具体例として、乗りかご内に液晶画面等の表示装置を設置することにより、この液晶画面に乗りかごの行先階の表示だけでなく、広告や点検日の案内を含む様々な情報を表示して利用者に提供するエレベータの情報表示システムが挙げられる。この種のエレベータの情報表示システムの従来技術の１つとして、エレベータの保守及び点検を行う保守予定日の表示を電気的に行う階床表示装置及びメッセージ表示装置を乗りかご内に設け、乗りかご内の操作盤が操作されることにより、次回の保守予定日を階床表示装置又はメッセージ表示装置に表示するようにしたものが知られている（例えば、特許文献１参照）。
【先行技術文献】
【特許文献】
【０００４】
【特許文献１】特開２００１−３１３４４号公報
【発明の概要】
【発明が解決しようとする課題】
【０００５】
上述の特許文献１に開示されたエレベータを含む従来技術のエレベータの情報表示システムは、乗りかご内の全ての利用者に対して、各種の情報を表示装置に表示して報知する構成であるため、例えば、建物の４階に関する注意事項を表示装置に表示した場合に、乗りかご内の利用者のうち行先階が２階の利用者にとっては、使用しない４階の注意事項まで報知されることになり、表示装置の表示を煩わしく感じる虞がある。このように、従来技術のエレベータの情報表示システムでは、表示装置に表示される情報の中に乗りかごの行先階に関する情報が含まれている場合に、乗りかご内の一部の利用者に対して不快感を与えることが懸念されている。
【０００６】
本発明は、このような従来技術の実情からなされたもので、その目的は、乗りかご内の利用者に対して必要な情報を的確に報知することができるエレベータの情報表示システムを提供することにある。
【課題を解決するための手段】
【０００７】
上記の目的を達成するために、本発明のエレベータの情報表示システムは、建物の昇降路内を昇降する乗りかごと、この乗りかご内に設けられ、前記乗りかごの運転を操作する操作盤と、前記乗りかご内に設けられ、前記乗りかご内の利用者に対して報知するための情報を表示する情報表示部とを備え、前記操作盤は、前記乗りかごの行先階を指定する行先階釦を含むエレベータに設けられ、前記操作盤の操作に応じて、前記情報表示部の表示を制御する情報表示制御装置を備えたエレベータの情報表示システムにおいて、前記情報表示制御装置は、前記行先階釦の操作信号を取得する操作信号取得部と、前記情報を記憶する情報記憶装置と、前記操作信号取得部によって前記行先階釦の操作信号が取得されたとき、前記情報記憶装置に記憶された前記情報の中に前記行先階釦によって指定された前記乗りかごの行先階に関する情報があるかどうかを判断する行先階情報判断部と、前記行先階情報判断部によって前記乗りかごの行先階に関する情報があると判断されたとき、前記情報表示部の表示を当該乗りかごの行先階に関する情報に切換える表示切換部とを含むことを特徴としている。
【発明の効果】
【０００８】
本発明のエレベータの情報表示システムによれば、乗りかご内の利用者に対して必要な情報を的確に報知することができる。前述した以外の課題、構成及び効果は、以下の実施形態の説明により明らかにされる。
【図面の簡単な説明】
【０００９】
【図１】本発明に係るエレベータの情報表示システムの一実施形態の構成を示す図である。
【図２】本実施形態に係る操作盤の構成を示す正面図である。
【図３】本実施形態に係る情報表示制御装置の制御処理を説明するフローチャートである。
【発明を実施するための形態】
【００１０】
以下、本発明に係るエレベータの情報表示システムを実施するための形態を図に基づいて説明する。
【００１１】
本発明に係るエレベータの情報表示システムの一実施形態は、例えば、４階建ての建物に設置されたエレベータ１に設けられる。なお、本実施形態は、建物が４階建ての構造である場合について説明しているが、この場合に限定されるものではない。
【００１２】
エレベータ１は、図１に示すように、昇降路（図示せず）内を昇降する乗りかご２と、一端が乗りかご２に取付けられた主ロープ３と、この主ロープ３の他端が取付けられ、昇降路内に吊り下げられた釣合い錘４とを備えている。
【００１３】
また、エレベータ１は、昇降路の上方に位置する機械室（図示せず）に設けられ、乗りかご２及び釣合い錘４を駆動する巻上機５と、この巻上機５の近傍に配置されたそらせ車６と、乗りかご２の内壁に設けられ、乗りかご２の運転を操作する操作盤７と、機械室に設けられ、乗りかご２の運転を制御する制御装置としての制御盤８と、図示されないが、乗りかご２の現在位置を検出する後述の位置検出部と、乗りかご２の走行速度を検出する後述の走行速度検出部とを有している。
【００１４】
巻上機５は、主ロープ３が巻き掛けられた駆動シーブ５Ａと、この駆動シーブ５Ａを回転させる電動機５Ｂと、駆動シーブ５Ａの回転を制動するブレーキ装置（図示せず）とを有している。制御盤８は、操作盤７及び巻上機５の電動機５Ｂに接続されており、操作盤７の操作や乗場に設置された乗場釦（図示せず）の操作に応じて、巻上機５の電動機５Ｂを駆動することにより、乗りかご２を釣合い錘４に対して相対的に昇降させるようにしている。
【００１５】
前述の位置検出部は、例えば、昇降路内に設けられた遮蔽板（図示せず）と、乗りかご２に設けられ、遮蔽板を通過することによって乗りかご２の現在位置、すなわち高さ位置を検出するポジテクタと、このポジテクタの検出信号を受信し、この検出信号に基づいて乗りかご２の高さ位置を演算する位置演算部（図示せず）とから構成されている。
【００１６】
前述の走行速度検出部は、例えば、巻上機５の電動機５Ｂの軸端に取り付けられ、電動機５Ｂの駆動に応じてパルス信号を送信するエンコーダと、このエンコーダのパルス信号を受信し、受信したパルス信号をカウントする計数部と、この計数部によってカウントされた計数値に基づいて、乗りかご２の走行速度を演算する走行速度演算部とから構成されている。
【００１７】
上述した位置演算部及び走行速度演算部は制御盤８の内部に搭載されており、これらの位置演算部による乗りかご２の高さ位置及び走行速度演算部による乗りかご２の走行速度の演算が制御盤８内で行われるようになっている。
【００１８】
乗りかご２は、水平方向に開閉し、乗りかご２と乗場（図示せず）とを連絡する出入口となる開閉ドア（図示せず）と、乗りかご２内の利用者に対して報知するための情報を表示する情報表示部１０と、操作盤７が操作された際に操作音を発する操作音発生部１１とを備えている。
【００１９】
図２は操作盤７の構成を示す正面図である。
【００２０】
図２に示すように、操作盤７は、例えば、上下方向に配置され、乗りかご２の行先階を指定する行先階釦７Ａと、開閉ドアを開扉させる開釦７Ｂと、開閉ドアを閉扉させる閉釦７Ｃと、乗りかご２の昇降動作を強制的に停止させ、外部との通話を行う非常呼び釦７Ｄとを含んでいる。操作盤７は、これらの行先階釦７Ａ、開釦７Ｂ、閉釦７Ｃ、及び非常呼び釦７Ｄが操作されると、その操作信号が制御盤８へ出力されるようになっている。
【００２１】
行先階釦７Ａは、例えば、上下方向に一列に並んで配置された４つの押釦から成り、便宜的に下から上に向かって順に、行先階として１階を指定する行先階釦７Ａ１と、行先階として２階を指定する行先階釦７Ａ２と、行先階として３階を指定する行先階釦７Ａ３と、行先階として４階を指定する行先階釦７Ａ４とから構成されている。
【００２２】
情報表示部１０は、例えば、乗りかご２の内壁のうち開閉ドアが設けられた側壁と同一の側壁に設置されており、乗りかご２の現在位置や予め設定された情報を、文字と画像を含む映像により表示する液晶ディスプレイから構成されている。操作音発生部１１は、例えば、乗りかご２の内壁のうち液晶ディスプレイ１０の下方に設置されており、操作盤７の操作音の他に、アナウンス等の音声を発するスピーカから構成されている。
【００２３】
そして、本実施形態は、操作盤７の各釦７Ａ〜７Ｄの操作に応じて、乗りかご２内の液晶ディスプレイ１０の表示を制御する情報表示制御装置１２を備えている。以下、この情報表示制御装置１２の構成について、図１を参照しながら詳細に説明する。
【００２４】
情報表示制御装置１２は、例えば、制御盤８に接続され、この制御盤８から操作盤７の行先階釦７Ａ、開釦７Ｂ、閉釦７Ｃ、及び非常呼び釦７Ｄの操作信号を取得する操作信号取得部１３と、乗りかご２内の利用者に対して報知するための情報、すなわち液晶ディスプレイ１０に表示する情報を予め記憶する情報記憶装置１４とを含んでいる。
【００２５】
この情報記憶装置１４は、例えば、乗りかご２が停止する全ての階（本実施例では、１〜４階）に共通する情報（以下、便宜的に全階共通情報と称する）を記憶する全階共通情報記憶部１４Ａと、乗りかご２が停止する階のうち特定の階に関連する情報（以下、便宜的に特定階情報と称する）を記憶する特定階情報記憶部１４Ｂとから構成されている。
【００２６】
全階共通情報記憶部１４Ａに記憶された全階共通情報には、例えば、広告のように、乗りかご２内の全ての利用者に報知する情報が含まれている。一方、特定階情報記憶部１４Ｂに記憶された特定階情報は、例えば、３階の○○設備は使用できない旨の注意事項や保守予定日の案内のように、乗りかご２内の利用者のうち上記特定の階を行先階とする利用者にだけ報知する情報が含まれている。
【００２７】
また、情報表示制御装置１２は、液晶ディスプレイ１０及び後述の行先階情報判断部１７に接続されており、液晶ディスプレイ１０に映像を表示するための映像信号を出力する映像出力部１５と、スピーカ１１、操作信号取得部１３、及び行先階情報判断部１７に接続されており、操作信号取得部１３によって行先階釦７Ａの操作信号が取得されたとき、乗りかご２内のスピーカ１１が発する操作音の出力信号を出力する操作音出力部１６とを含んでいる。
【００２８】
さらに、情報表示制御装置１２は、操作信号取得部１３によって行先階釦７Ａの操作信号が取得されたとき、情報記憶装置１４に記憶された情報の中に行先階釦７Ａによって指定された乗りかご２の行先階に関する情報があるかどうかを判断する行先階情報判断部１７を含んでいる。
【００２９】
映像出力部１５は、この行先階情報判断部１７によって当該乗りかご２の行先階に関する情報があると判断されたとき、乗りかご２内の液晶ディスプレイ１０の表示を当該乗りかご２の行先階に関する情報に切換える表示切換部１５Ａを含んでいる。操作音出力部１６は、行先階情報判断部１７の判断結果に応じて、乗りかご２内のスピーカ１１が発する操作音を変更する操作音変更部１６Ａを有している。
【００３０】
次に、本実施形態に係る情報表示制御装置１２の制御処理について、図３を参照して詳細に説明する。
【００３１】
図３は情報表示制御装置１２の制御処理の流れを示すフローチャートである。
【００３２】
本実施形態では、まず、情報表示制御装置１２の映像出力部１５は、制御盤８から乗りかご２の現在位置等を含む位置情報及び走行速度等を含む走行情報を入力し、これらの位置情報及び走行情報を示す映像を映像信号として乗りかご２内の液晶ディスプレイ１０へ出力する（ステップ（以下、Ｓと記す）１）。これにより、乗りかご２の位置情報及び走行情報を示す映像が液晶ディスプレイ１０に表示されるので、乗りかご２内の利用者が液晶ディスプレイ１０の映像を確認することにより、乗りかご２の現在位置や走行速度等の情報を把握することができる。
【００３３】
次に、情報表示制御装置１２の操作信号取得部１３は、制御盤８が操作盤７の行先階釦７Ａの操作信号を入力したかどうかを確認する（Ｓ２）。このとき、操作信号取得部１３は、制御盤８が行先階釦７Ａの操作信号をまだ入力していないことを確認すると（Ｓ２／ＮＯ）、情報表示制御装置１２の行先階情報判断部１７は、情報表示制御装置１２の全階共通情報記憶部１４Ａに記憶された全階共通情報を映像出力部１５へ送信する。
【００３４】
そして、映像出力部１５は、行先階情報判断部１７から全階共通情報を受信すると、受信した全階共通情報を示す映像を映像信号として乗りかご２内の液晶ディスプレイ１０へ出力し（Ｓ６）、情報表示制御装置１２の制御処理を終了する。これにより、全階共通情報を示す映像が液晶ディスプレイ１０に表示されるので、乗りかご２内の利用者は液晶ディスプレイ１０の映像を確認することにより、広告の内容等を把握することができる。
【００３５】
一方、手順Ｓ２において、乗りかご２内の利用者が操作盤７の行先階釦７Ａを操作することにより、行先階釦７Ａの操作信号が制御盤８へ出力されると、操作信号取得部１３は、制御盤８が行先階釦７Ａの操作信号を入力したことを確認できるので（Ｓ２／ＹＥＳ）、制御盤８から行先階釦７Ａの操作信号を取得して行先階情報判断部１７へ出力する（Ｓ３）。
【００３６】
次に、行先階情報判断部１７は、操作信号取得部１３から行先階釦７Ａの操作信号を入力すると、情報表示制御装置１２の特定階情報記憶部１４Ｂに記憶された情報の中に当該行先階釦７Ａによって指定された乗りかご２の行先階に関する情報があるかどうかを判断する（Ｓ４）。
【００３７】
このとき、例えば、３階の○○設備は使用できない旨の注意事項が特定階情報記憶部１４Ｂに記憶されており、乗りかご２内の利用者が３階以外の４階の行先階釦７Ａ４を操作していた場合には、行先階情報判断部１７は、特定階情報記憶部１４Ｂに記憶された情報の中に該当する乗りかご２の行先階に関する情報がないと判断することができる（Ｓ４／ＮＯ）。従って、行先階情報判断部１７は、特定階情報記憶部１４Ｂに記憶された情報の中に該当する乗りかご２の行先階に関する情報がない旨の判断結果を操作音出力部１６へ送信すると共に、全階共通情報記憶部１４Ａに記憶された全階共通情報を映像出力部１５へ送信する。
【００３８】
操作音出力部１６は、行先階情報判断部１７の判断結果を受信すると、予め設定された通常の操作音の出力信号をスピーカ１１へ出力する（Ｓ５）。これにより、通常の操作音がスピーカ１１から発せられるので、利用者は操作した行先階釦７Ａが適切に反応したかどうかを確認することができる。そして、映像出力部１５は、行先階情報判断部１７から全階共通情報を受信すると、手順Ｓ６の制御処理が行われる。
【００３９】
一方、手順Ｓ４において、例えば、３階の○○設備は使用できない旨の注意事項が特定階情報記憶部１４Ｂに記憶されており、乗りかご２内の利用者が３階の行先階釦７Ａ３を操作していた場合には、行先階情報判断部１７は、特定階情報記憶部１４Ｂに記憶された情報の中に該当する乗りかご２の行先階に関する情報があると判断することができる（Ｓ４／ＹＥＳ）。従って、行先階情報判断部１７は、特定階情報記憶部１４Ｂに記憶された情報の中に該当する乗りかご２の行先階に関する情報がある旨の判断結果を操作音出力部１６へ送信すると共に、特定階情報記憶部１４Ｂに記憶された特定階情報を映像出力部１５へ送信する。
【００４０】
ここで、乗りかご２内の利用者が液晶ディスプレイ１０の表示を見るかどうかについては、各利用者に任せられているので、例えば、小さい子供と一緒に乗る人、あるいは乗りかご２がガラス張りのときに、このガラス張り越しに乗りかご２の外を見る人がいる場合には、特定階情報のような短い乗車時間内で報知したい情報が液晶ディスプレイ１０に表示されても、利用者がその表示に気付かない可能性がある。
【００４１】
そこで、操作音出力部１６は、行先階情報判断部１７の判断結果を受信すると、予め設定された通常の操作音とは異なる特定の操作音の出力信号をスピーカ１１へ出力する（Ｓ７）。これにより、特定の操作音がスピーカ１１から発せられるので、利用者に対して液晶ディスプレイ１０の表示に注意を向けさせることができる。
【００４２】
そして、映像出力部１５の表示切換部１５Ａは、行先階情報判断部１７から特定階情報を受信すると、受信した特定階情報を示す映像を映像信号として乗りかご２内の液晶ディスプレイ１０へ出力し（Ｓ８）、情報表示制御装置１２の制御処理を終了する。これにより、液晶ディスプレイ１０の表示が特定階情報の映像に切換られるので、乗りかご２内の利用者は液晶ディスプレイ１０の映像を確認することにより、行先階釦７Ａを操作した段階で自分にとって必要な情報を迅速に得ることができる。
【００４３】
このように構成した本実施形態に係る情報表示システムによれば、行先階情報判断部１７が、特定階情報記憶部１４Ｂに記憶された情報の中に、利用者が操作盤７の行先階釦７Ａによって指定した乗りかご２の行先階に関する情報がないと判断した場合には、利用者全員に報知するための全階共通情報が映像出力部１５によって液晶ディスプレイ１０に表示されるので、指定した乗りかご２の行先階以外の階に関する不必要な情報が利用者に提供されるのを抑制することができる。
【００４４】
一方、行先階情報判断部１７は、特定階情報記憶部１４Ｂに記憶された情報の中に、利用者が操作盤７の行先階釦７Ａによって指定した乗りかご２の行先階に関する情報があると判断した場合には、当該乗りかご２の行先階を利用する利用者に報知するための特定階情報が液晶ディスプレイ１０に表示されるので、利用者にとって必要な情報を迅速に提供することができる。このように、本実施形態は、乗りかご２内の利用者に対して必要な情報を的確に報知できるので、利用者に対するエレベータ１のサービス性を向上させることができる。
【００４５】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００４６】
１  エレベータ
２  乗りかご
７  操作盤
７Ａ  行先階釦
７Ｂ  開釦
７Ｃ  閉釦
７Ｄ  非常呼び釦
８  制御盤（制御装置）
１０  液晶ディスプレイ（情報表示部）
１１  スピーカ（操作音発生部）
１２  情報表示制御装置
１３  操作信号取得部
１４  情報記憶装置
１４Ａ  全階共通情報記憶部（情報記憶装置）
１４Ｂ  特定階情報記憶部（情報記憶装置）
１５  映像出力部
１５Ａ  表示切換部
１６  操作音出力部
１６Ａ  操作音変更部
１７  行先階情報判断部
【図１】
2016044002.tif 000003
【図２】
2016044002.tif 000004
【図３】
2016044002.tif 000005